(57)【要約】【課題】  浴室洗い場の排水口に被せる排水蓋に毛髪を絡ませないようにする。【解決手段】  洗い場１の一部を下方に凹設した凹所２ａと、凹所２ａに形成した排水孔２ｂとを有する排水口２に、排水孔２ｂの上方に配設される排水蓋３を設置した浴室洗い場の排水部構造において、凹所２ａに水がない状態であっても凹所２ａから排水蓋３を浮かせて排水蓋３を凹所２ａに対して非接触とする浮揚手段を備えた。この浮揚手段として、排水口２と排水蓋３にそれぞれ配設した磁石４，５の磁力を利用する。【選択図】  図２
2015067974.tif 000002
【特許請求の範囲】
【請求項１】
洗い場の一部を下方に凹設した凹所と、凹所に形成した排水孔とを有する排水口に、前記排水孔の上方に配設される排水蓋を設置した浴室洗い場の排水部構造において、
前記凹所に水がない状態であっても前記凹所から前記排水蓋を浮かせて前記排水蓋を前記凹所に対して非接触とする浮揚手段を備えたことを特徴とする浴室洗い場の排水部構造。
【請求項２】
前記浮揚手段は、前記凹所の底部に設けられた第一の磁石及び前記排水蓋に設けられた第二の磁石の磁力によって前記排水蓋を浮揚させることを特徴とする請求項１記載の浴室洗い場の排水部構造。
【請求項３】
前記第一の磁石及び第二の磁石のうち、一方の磁石はリング状磁石であり、他方の磁石は円板状磁石であり、
前記リング状磁石と円板状磁石とは、平面視で前記リング状磁石の穴内に前記円板状磁石が位置するとともに異なる磁極が向かい合うように設けられたことを特徴とする請求項２記載の浴室洗い場の排水部構造。
【発明の詳細な説明】
【技術分野】
【０００１】
本発明は、浴室の洗い場に設けられた排水部に関する発明である。
【背景技術】
【０００２】
従来の浴室の、洗い場の排水部構造としては、特許文献１に示されるように、洗い場の床面から一段下方へ凹没した凹所の底面に円孔状の排水孔を穿設させて排水口を形成し、その排水口には排水蓋が被着されている。排水蓋は、排水孔を目隠しする蓋板部の下面にゴム製の脚部を垂設しており、この脚部を排水口の凹所の底面に載置して排水口内に設置される。そして、排水蓋の側面と排水口の内側面（凹所の内側面）との間、排水蓋の側面下端と凹所の底面との間に隙間が形成され、これらの隙間を介して洗い場の床面上の水を排水孔に排水している。
【先行技術文献】
【特許文献】
【０００３】
【特許文献１】特開２００８−１３３６１８号公報
【発明の概要】
【発明が解決しようとする課題】
【０００４】
ところで、排水蓋は蓋板部の下面に垂設された脚部を有するので、洗い場から排水口に流れ込む水の流れは、脚部によって左右に分断される。一方で、洗い場では頭や体を洗うため、洗い場から排水口に流れ込む水には毛髪、垢、石鹸カス等の異物が含まれている。
毛髪を含んだ水の流れが排水蓋の脚部で分断されると脚部に毛髪が絡んでしまう。脚部に絡んだ毛髪は、垢や石鹸カスといった汚れが付着すると、堆積した汚れがヌメリとなり、臭いの原因となる上、毛髪やヌメリを除去する手間が増大する。
【０００５】
本発明は、上記問題を解決するためになされたもので、その課題は、浴室洗い場の排水口に被せる排水蓋に毛髪を絡ませないようにすることである。
【課題を解決するための手段】
【０００６】
上記課題を解決するために、請求項１記載の発明は、洗い場の一部を下方に凹設した凹所と、凹所に形成した排水孔とを有する排水口に、前記排水孔の上方に配設される排水蓋を配設した浴室洗い場の排水部構造において、前記凹所に水がない状態であっても前記凹所から前記排水蓋を浮かせて前記排水蓋を前記凹所に対して非接触とする浮揚手段を備えたことを特徴とする。
これによれば、排水蓋が浮揚しているので、洗い場から排水口に流れてくる水に含まれる毛髪は排水蓋に引っ掛かることなく排水孔から排出される。さらに、排水蓋は水のありなしに係わらず常に浮揚しているので、排水口の凹所に排水蓋を載置するための脚部を無くすことができる。これにより、洗い場から排水口に流れ込む水は、排水蓋の脚部で分断されることがないので、排水蓋に毛髪が絡みつくのを防止することができる。また毛髪の絡みがなくなることにより、水垢や石鹸カスが排水蓋に付着する程度も減少し、排水蓋に堆積される汚れが低減される。したがって、排水蓋のお手入れの手間を削減することが可能となる。
【０００７】
また、請求項２記載の発明は、前記浮揚手段は、前記凹所の底部に設けられた第一の磁石及び前記排水蓋に設けられた第二の磁石の磁力によって前記排水蓋を浮揚させることを特徴とする。
これによれば、磁石の磁力を利用して浮揚させるので、多大なコストをかけずに排水蓋の浮揚を実現できる。
【０００８】
また、請求項３記載の発明は、前記第一の磁石及び第二の磁石のうち、一方の磁石はリング状磁石であり、他方の磁石は円板状磁石であり、前記リング状磁石と円板状磁石とは、平面視で前記リング状磁石の穴内に前記円板状磁石が位置するとともに異なる磁極が向かい合うように設けられたことを特徴とする。
これによれば、排水蓋を排水口上に安定的に浮揚させることが可能となる。
【発明の効果】
【０００９】
本発明によれば、浴室洗い場の排水口に被せる排水蓋に毛髪を絡ませないようにした浴室洗い場の排水部構造を提供することが可能となる。
【図面の簡単な説明】
【００１０】
【図１】浴室洗い場を示す平面図である。
【図２】本発明の浴室洗い場の排水部構造を示す模式的断面図である。
【図３】本発明の浴室洗い場の排水部構造を示す模式的平面図である。
【発明を実施するための形態】
【００１１】
以下、本発明の実施の形態を、図に基づいて説明する。
【００１２】
浴室の洗い場は、図１のように、洗い場床面１と浴槽側の端部に水を排水させるための排水口２が形成され、排水蓋３が配設されている。
【００１３】
この排水口２は、図２に示すように、洗い場床面１を下方に凹ませた凹所２ａの底面に排水孔２ｂを設けている。排水口２には、排水孔２ｂを目隠しするための排水蓋３が配設されている。
排水蓋３は、後述する浮揚手段によって排水口２の凹所２ａの上面から浮揚させている。
【００１４】
浮揚手段は、本実施形態においては磁石の磁力を利用したものである。
排水口２には、中央に穴４ａのあいたリング状磁石４が配設されている。このリング状磁石４は、排水口２の凹所２ａの裏側に取り付けられている。一方、排水蓋３には、磁石５が配設されている。この磁石５は、排水蓋３の内部に埋め込まれた、円板状である。
また、リング状磁石４及び磁石５は、図３のように、排水口２及び排水蓋３の四隅に設置され、いずれも磁極が上下方向を向いている。さらに、磁石５は、リング状磁石４と異なる磁極が向かい合うように配設されている。例えば、リング状磁石４の上面をＮ極とした場合、磁石５の下面はＳ極とする。
排水蓋３を排水口２に配設すると、排水蓋３の磁石５は、排水口２に設けたリング状磁石４の穴４ａの上方に位置する
【００１５】
リング状磁石４のＮ極から発する磁力線は、その一部がリング状磁石４の穴４ａを通過してＳ極に達するため、穴４ａの上方は実質的にＳ極となる。したがって、リング状磁石４の穴４ａの上にＳ極を下面にした磁石５は、反発力を受けて浮揚する。これにより、排水蓋３は、排水口２に水がない状態であっても常に排水口２から浮揚する。さらに、磁石５の下面のＳ極はリング状磁石４の上面のＮ極から引力を受けるので、磁石５は、上下方向に対して安定した位置に浮揚する。したがって、排水時に排水口２に水が流れても、排水蓋３は排水孔側からの水への浮力による浮き上がりを防止することができる。
【００１６】
さらには、図３のように、平面視で、排水口２の四隅に設置したリング状磁石４の穴４ａの中心から排水口２の中心部に向けて磁石５の位置を同じ距離だけずらすことで、排水口２の中心部に向かって、リング状磁石４と磁石５との反発力が生まれるので、排水口２の内側面に接することなく、排水蓋３を浮揚させることができる。
【００１７】
次に、洗い場から排水孔２ｂへの水の流れについて説明する。
上記のような構成により、排水口２や排水蓋３には排水蓋３を排水口２に載置するための突起や脚が不要となるので、排水口２と排水蓋３は凹凸部の少ない形状が実現できる。そして、排水蓋３は排水口２から常に安定した位置で浮揚する。すなわち、排水蓋３は排水口２に対して非接触となる。そのため、排水口２には水の流れを分断させない流路が作られるので、毛髪や垢、石鹸カスといった汚れを排水蓋３で滞留させることなく、洗い場１から排水孔２ｂへ排出することができる。なお、排水孔２ａに排出された毛髪や垢、石鹸カスといった汚れは、図示せぬヘアキャッチャーで捕捉して破棄する。
【００１８】
このような実施形態によれば、洗い場１の排水口２に被せる排水蓋３に毛髪が絡むことがなく、お手入れの手間が削減でき、清潔な浴室洗い場の排水部構造を実現することができる。
【００１９】
以上、本発明の一実施形態を図に基づいて説明したが、本発明は、この実施形態に限定されるものではない。
例えば、リング状磁石４を排水蓋３へ、磁石５を排水口２へ配設しても同様の浮揚が実現できる。また、図３において、磁石５をリング状磁石４の穴４ａの中心から排水口２の中心部から離れるように配設しても同様の浮揚が実現できる。また、磁石５は円板状でなくてもよい。
【符号の説明】
【００２０】
１  ：洗い場
２ａ：凹所
２ｂ：排水孔
２  ：排水口
３  ：排水蓋
４  ：リング状磁石（第一の磁石）
４ａ：穴
５  ：円板状磁石（第二の磁石）
【図１】
2015067974.tif 000003
【図２】
2015067974.tif 000004
【図３】
2015067974.tif 000005